(57)【要約】【課題】価格設定確認の作業効率を向上することができる自動販売機を提供すること。【解決手段】価格設定モードに移行した場合に商品選択釦２２に対する価格の設定を可能とする一方、販売モードに移行した状態において設定価格以上の入金があった場合に対応する商品選択釦２２を有効化し、該有効化された商品選択釦２２が操作された場合に対応する商品の払い出しを行う自動販売機１において、商品選択釦２２のそれぞれに対応した操作表示手段１９と、商品選択釦２２に設定した価格の確認操作を行った場合に設定された価格に応じて互いに異なる態様で操作表示手段１９に出力を行う価格設定制御手段ＣＰとを備えている。【選択図】        図４
2006184963.tif 000002
【特許請求の範囲】
【請求項１】
価格設定モードに移行した場合に商品選択釦に対する価格の設定を可能とする一方、販売モードに移行した状態において設定価格以上の入金があった場合に対応する商品選択釦を有効化し、該有効化された商品選択釦が操作された場合に対応する商品の払い出しを行う自動販売機において、
商品選択釦のそれぞれに対応した表示手段と、
商品選択釦に設定した価格の確認操作を行った場合に設定された価格に応じて互いに異なる態様で表示手段に出力を行う価格確認手段と
を備えることを特徴とする自動販売機。
【請求項２】
前記表示手段は、販売モードにおいて商品の販売状態を表示するものであることを特徴とする請求項１に記載の自動販売機。
【請求項３】
前記表示手段は、設定された価格に応じて異なる色彩を呈することを特徴とする請求項１に記載の自動販売機。
【発明の詳細な説明】
【技術分野】
【０００１】
本発明は、自動販売機に関するものである。
【背景技術】
【０００２】
自動販売機の内部には、商品を収容する商品コラムが複数設けられており、自動販売機の外扉には、商品コラムに対応するよう商品選択釦が設けられている。商品コラムは、複数の商品を種類別に収容するものである。商品選択釦は、商品コラムに収容された商品を選択するためのもので、押圧操作が可能である。そのような商品選択釦には、発光ダイオード等の光源を備える表示手段がそれぞれ配設されている。
【０００３】
自動販売機は、例えば利用者が貨幣を投入し、商品コラムに収容された商品の払い出しが可能になると、その商品コラムに対応する表示手段の光源が点灯されるよう構成されており、利用者が光源の点灯した商品選択釦の一つを押圧操作すると、商品選択釦に対応する商品コラムから商品が一つ払い出されるよう構成されている。
【０００４】
このような自動販売機では、商品コラムに収容する商品の価格に応じて商品選択釦に価格設定を行う必要がある。このため、この種の自動販売機は、商品選択釦の価格設定を行うための設定入力装置を備えている。設定入力装置は、価格入力手段と、切換スイッチとを備えており、自動販売機の管理者側のみが各種設定を行うことができるよう外扉の内側に配設されている。切換スイッチは、商品を販売する場合に使用する販売接点と、商品の価格設定を行う場合に使用する価格データセット接点と、価格設定が正しく設定されたか否かを確認する場合に使用する価格データ読出接点とを備えている。
【０００５】
商品コラムに収容する商品の価格に応じて商品選択釦に価格設定を行う場合には、先ず、管理者が切換スイッチを価格データセット接点に切り換える。次に、管理者は価格入力手段に価格（例えば１２０円）を入力する。すると、外扉の前面側に配設してある出力手段にその価格が表示される。次いで、管理者はその価格に設定したい商品選択釦を押圧操作する。なお、同一価格に設定したい商品選択釦が複数ある場合には、それらの商品選択釦を続けて押圧操作する。
【０００６】
次に、管理者は価格入力手段に異なる価格（例えば１５０円）を入力し、その価格を出力手段に表示させてから、その価格に設定したい商品選択釦を押圧操作する。以下、同様の操作、すなわち、管理者は価格入力手段に価格を入力し、その価格を出力手段に表示させてから、その価格に設定したい商品選択釦を押圧操作して、すべての商品選択釦に価格設定を行う。
【０００７】
そして、価格設定が正しく行われたか否かを確認する場合には、先ず、管理者が切換スイッチを価格データ読出接点に切り換える。次に、管理者は商品選択釦の一つを押圧操作する。すると、出力手段には設定した価格が表示される。そして、管理者は、出力手段に表示される価格を見て、価格設定が正しく行われたか否かを確認する。以下、同様の操作、すなわち、管理者は商品選択釦を一つ押圧操作し、設定した価格を出力手段に表示させ、価格設定が正しく行われたか否かの確認をすべての商品選択釦について行う（例えば、特許文献１参照）。
【０００８】
【特許文献１】特開昭５３−２９１９７号公報
【発明の開示】
【発明が解決しようとする課題】
【０００９】
ところで、上述した自動販売機では、価格設定が正しく行われたか否かの確認作業を商品選択釦の全てに対して行わなければならないため、価格設定確認の作業に手間がかかる問題があった。
【００１０】
本発明は、上記実情に鑑みて、価格設定確認の作業効率を向上することができる自動販売機を提供することにある。
【課題を解決するための手段】
【００１１】
上記の目的を達成するために、本発明の請求項１に係る自動販売機は、価格設定モードに移行した場合に商品選択釦に対する価格の設定を可能とする一方、販売モードに移行した状態において設定価格以上の入金があった場合に対応する商品選択釦を有効化し、該有効化された商品選択釦が操作された場合に対応する商品の払い出しを行う自動販売機において、商品選択釦のそれぞれに対応した表示手段と、商品選択釦に設定した価格の確認操作を行った場合に設定された価格に応じて互いに異なる態様で表示手段に出力を行う価格確認手段とを備えることを特徴とする。
【００１２】
また、本発明の請求項２に係る自動販売機は、上記請求項１において、前記表示手段は、販売モードにおいて商品の販売状態を表示するものであることを特徴とする。
【００１３】
また、本発明の請求項３に係る自動販売機は、上記請求項１において、前記表示手段は、設定された価格に応じて異なる色彩を呈することを特徴とする。
【発明の効果】
【００１４】
本発明に係る自動販売機によれば、商品選択釦のそれぞれに対応した表示手段を設定価格に応じて互いに異なる態様で表示させることができるため、それぞれの商品選択釦に設定した価格を一度に表示することが可能であり、価格設定確認を効率良く行うことが可能である。
【発明を実施するための最良の形態】
【００１５】
以下に添付図面を参照して、本発明に係る自動販売機の好適な実施の形態を詳細に説明する。図１及び図２は、本発明の実施の形態である自動販売機を示したものである。ここで例示する自動販売機１は、缶入り飲料又はペットボトル入り飲料等の商品を冷却した状態若しくは加熱した状態で販売するもので、本体キャビネット２及び外扉３を備えている。
【００１６】
本体キャビネット２は、複数の鋼板を組み合わせることによって構成したもので、前面が開口した断熱構造の箱状を成し、内部に複数の商品コラム４を備えている。商品コラム４は、複数の商品を収容可能なよう例えばサーペンタイン式に構成してあり、商品を種類別に収容するものである。商品コラム４の下方には、シュータ５が設けてある。シュータ５は、商品コラム４から払い出された商品を案内するものである。
【００１７】
外扉３は、本体キャビネット２の前面開口を閉塞するためのもので、開閉可能となるよう本体キャビネット２の一側縁部に保持させてある。外扉３の前面側には、紙幣投入口７、硬貨投入口８、出力手段９、商品取出口１０、硬貨返却レバー１１、硬貨返却口１２及びディスプレイ室１３が設けられている。
【００１８】
出力手段９は、利用者が投入した貨幣の入金額等、商品を販売する上で必要となる情報や管理者が入力した設定価格等、各種設定を行う上で必要となる情報を外部に表示するためのものであって、例えば液晶表示器によって構成してある。
【００１９】
ディスプレイ室１３は、外扉３の上部に配置されている。ディスプレイ室１３の前面側には透明パネル１４を設けてあり、ディスプレイ室１３の内部には見本陳列棚１５を上下方向に複数段（本実施例では３段）設けてある。各見本陳列棚１５には、各商品コラム４に収容している商品の見本１６を左右方向に複数（本実施例では１２個）並べてある。見本１６は、透明パネル１４を介して外部から視認することができる。
【００２０】
透明パネル１４の前面には、見本陳列棚１５に対応して押釦ユニット１７を配設してある。押釦ユニット１７は、見本１６の視認性が低下することを防止すべく、外扉３の幅方向に長く、高さ方向に短い形状に形成してあり、ケーシング部材１８と、各見本１６に対応するよう配設した６つの操作表示手段（表示手段）１９とを備えて成り、不図示の支持部材によって透明パネル１４に支持されている。
【００２１】
各操作表示手段１９は、図３に示すように、第１光源２１を内蔵する商品選択釦２２と、第２光源２３を内蔵する表示部２４とをそれぞれ備えている。
【００２２】
商品選択釦２２は、押釦ユニット１７に対して押圧操作が可能なよう配設されている。商品選択釦２２の前面側には、光透過性材料によって形成された操作部２２ａが設けられている。商品選択釦２２の第１光源２１を点灯した場合には、第１光源２１からの光が操作部２２ａを透過することになり、この透過光を外部から視認することができる。
【００２３】
表示部２４の前面側には、光透過性材料によって形成されたカバー部２４ａが設けられている。表示部２４の第２光源２３を点灯した場合には、第２光源２３からの光がカバー部２４ａを透過することになり、この透過光を外部から視認することができる。
【００２４】
第１光源２１及び第２光源２３は、明滅の相違によって自動販売機１の状態を表示するためのもので、それぞれが２つの互いに発光色の異なる発光素子の対、例えば発光ダイオードの対によって構成してある。より具体的に説明すると、第１光源２１は、青色の発光色で点灯する第１青色発光ダイオード２１ａと赤色の発光色で点灯する第１赤色発光ダイオード２１ｂとを、押釦ユニット１７の長手方向に並設することによって構成してある。第２光源２３は、赤色の発光色で点灯する第２赤色発光ダイオード２３ａと、橙色の発光色で点灯する第２橙色発光ダイオード２３ｂとを押釦ユニット１７の短手方向に並設することによって構成してある。
【００２５】
外扉３の後面側には、図２に示すように、金庫２９と、入金処理手段２７である紙幣識別手段２７ａ及び硬貨処理手段２７ｂと、設定入力手段３０とが配設されている。
【００２６】
図４は、この自動販売機１の制御系を示したブロック図である。自動販売機１は、主制御手段ＣＭと価格設定制御手段（価格確認手段）ＣＰとを備えている。主制御手段ＣＭは、商品コラム４、出力手段９、第１光源２１、商品選択釦２２、第２光源２３、及び入金処理手段２７を制御することにより、入金から払出までの商品の販売に関わる機能を実現するものである。なお、自動販売機１は、通常、主制御手段ＣＭによって制御されており、設定入力手段３０からの入力信号の受信が可能である。
【００２７】
一方、価格設定制御手段ＣＰは、出力手段９、第１光源２１、商品選択釦２２、第２光源２３、設定入力手段３０、記憶手段３１を制御することにより、価格設定に関わる機能を実現するものである。
【００２８】
設定入力手段３０は、商品選択釦２２の価格設定等、自動販売機１の各種設定を入力するためのものである。設定入力手段３０は、図５に示すように、価格設定釦３０ａと価格確認釦３０ｂとアップ釦３０ｃとダウン釦３０ｄと終了釦３０ｅとを備えている。
【００２９】
価格設定釦３０ａは、押圧操作によって自動販売機１の運転状態を販売モードから価格設定モードに移行させるものである。価格確認釦３０ｂは、価格設定モード時に押圧操作した場合に価格設定の確認を行うためのものである。アップ釦３０ｃは、押圧操作によって各種設定値を増加させるものである。ダウン釦３０ｄは、押圧操作によって各種設定値を減少させるものである。終了釦３０ｅは、価格設定モードから販売モードに移行させるものである。
【００３０】
記憶手段３１は、価格設定モード時に商品選択釦２２に設定された価格等の各種設定値を記憶するものである。
【００３１】
以下、商品の払い出しに必要な価格を設定する方法について説明する。先ず、価格設定釦３０ａを押圧操作すると、設定入力手段３０から主制御手段ＣＭに作動信号が送信される。主制御手段ＣＭが作動信号を受信すると、主制御手段ＣＭから価格設定制御手段ＣＰにモード変更指令が送信され、主制御手段ＣＭによって制御されていた自動販売機１が、価格設定制御手段ＣＰによって制御されることになる。それにより、自動販売機１の運転状態が販売モードから価格設定モードに移行される。
【００３２】
運転状態が価格設定モードに移行されると、価格設定制御手段ＣＰは、出力手段９に表示指令を送信する。その表示指令を出力手段９が受信すると、出力手段９は、その表示指令に応じて設定価格の初期値である「１１０」円と表示する。
【００３３】
この状態で、管理者がダウン釦３０ｄを１回押圧操作した場合には、価格設定制御手段ＣＰが出力手段９に「１００」円と表示させる。すなわち、ダウン釦３０ｄを１回押圧操作した場合には、設定価格が１０円減少される。一方、管理者がアップ釦３０ｃを１回押圧操作した場合には、価格設定制御手段ＣＰが出力手段９に「１２０」円と表示させる。すなわち、アップ釦３０ｃを１回押圧操作した場合には、設定価格が１０円増加される。
【００３４】
次いで、管理者は、出力手段９に表示される価格を確認し、その価格、例えば１２０円に設定したい商品選択釦２２を押圧操作する。すると、その商品選択釦２２から価格設定制御手段ＣＰに作動信号が送信される。その作動信号を価格設定制御手段ＣＰが受信したときには、価格設定制御手段ＣＰから記憶手段３１に記憶命令が送信される。その記憶命令を記憶手段３１が受信すると、記憶手段３１は、押圧操作された商品選択釦２２と価格とを対応させて記憶する。このようにして、管理者は、商品選択釦２２に価格を設定する。なお、同一価格に設定したい商品選択釦２２が複数ある場合には、それらの商品選択釦２２を続けて押圧操作する。その押圧操作によって、上述と同様、価格設定制御手段ＣＰは、記憶手段３１に商品選択釦２２と価格とを対応させて記憶させる。
【００３５】
次に、管理者は、アップ釦３０ｃを押圧操作する。その押圧操作により、価格設定制御手段ＣＰは、出力手段９に異なる価格を表示させる。例えば、商品選択釦２２に１２０円の価格設定をした後、管理者がアップ釦３０ｃを３回押圧操作した場合には、価格設定制御手段ＣＰが出力手段９に「１５０」円と表示させる。
【００３６】
次いで、管理者は、その価格、例えば１５０円に設定したい商品選択釦２２を押圧操作する。その押圧操作によって、上述と同様、価格設定制御手段ＣＰは、記憶手段３１に商品選択釦２２と価格とを対応させて記憶させる。
【００３７】
次に、管理者は、同様の操作、すなわち、アップ釦３０ｃを必要な回数だけ押圧操作する。その押圧操作により、価格設定制御手段ＣＰは、出力手段９に異なる価格を表示させる。例えば、商品選択釦２２に１５０円の価格設定をした後、管理者がアップ釦３０ｃを５回押圧操作した場合には、価格設定制御手段ＣＰが出力手段９に「２００」円と表示さる。
【００３８】
次いで、管理者は、その価格、例えば２００円に設定したい商品選択釦２２を押圧操作する。その押圧操作によって、上述と同様、価格設定制御手段ＣＰは、記憶手段３１に商品選択釦２２と価格とを対応させて記憶させる。このようにして、管理者は、すべての商品選択釦２２に価格設定を行う。
【００３９】
商品選択釦２２に正しく価格が設定されたか否かを確認する場合、管理者は、価格確認釦３０ｂを押圧操作する。価格確認釦３０ｂが押圧操作されると、価格設定制御手段ＣＰは、記憶手段３１に呼出指令を送信する。呼出指令を記憶手段３１が受信すると、記憶手段３１で記憶している各商品選択釦２２に設定された価格情報を、記憶手段３１から価格設定制御手段ＣＰに送信する。価格情報を価格設定制御手段ＣＰが受信すると、価格設定制御手段ＣＰは、価格に応じて互いに異なる表示態様となる点灯指令をそれぞれの操作表示手段１９に送信する。
【００４０】
点灯指令を各操作表示手段１９が受信したときには、個々の点灯指令に応じた表示が行われる。例えば１２０円に設定した商品選択釦２２については第１青色発光ダイオード２１ａが点灯し、１５０円に設定した商品選択釦２２については第１赤色発光ダイオード２１ｂが点灯し、２００円に設定した商品選択釦２２については第１青色発光ダイオード２１ａ及び第１赤色発光ダイオード２１ｂが点灯する。すなわち、この状態では、１２０円に設定した商品選択釦２２の第１光源２１が青色の発光色で点灯し、１５０円に設定した商品選択釦２２の第１光源２１が赤色の発光色で点灯し、２００円に設定した商品選択釦２２の第１光源２１が紫色の発光色で点灯することになり、すべての操作表示手段１９によってすべての商品選択釦２２に設定した価格を一度に表示することが可能である。この自動販売機１は、第１光源２１に発光色が異なる２つの発光ダイオード２１ａ、２１ｂを備えるので、第１光源２１を価格毎に異なる発光色で点灯する場合、異なる３つの価格を一度に表示することが可能である。
【００４１】
その後、管理者は、第１光源２１の発光色を見て、価格設定が正しく行われたか否かを確認する。価格設定確認後、管理者は、終了釦３０ｅを押圧操作することによって、価格設定モードを終了し、自動販売機１の運転状態を販売モードに移行させる。
【００４２】
一方、自動販売機１が販売モードにある状態においては、利用者が貨幣を投入すると、主制御手段ＣＭの制御により、投入金額が設定金額を超えた時点で対応する商品選択釦２２が有効化されるとともに、この商品選択釦２２に対応した商品コラム４の商品の払い出しが可能である旨を表示すべく第１光源２１が点灯される。従って、操作表示手段１９は、第１光源２１の点灯によって、商品選択釦２２を押圧操作することで商品の払い出しが可能であることを利用者に明示することができる。なお、第１光源２１を点灯する場合、冷温状態に保持した商品に対応する商品選択釦２２には第１青色発光ダイオード２１ａを点灯し、暖温状態に保持した商品に対応する商品選択釦２２には第１橙色発光ダイオードを点灯し、点灯する発光色によって利用者に商品温度をイメージさせることが好ましい。第１光源２１の点灯した状態から商品選択釦２２が押圧操作されると、その商品選択釦２２に対応する商品コラム４から商品が一つ払い出されることになる。
【００４３】
商品コラム４に商品がなくなることにより商品の払い出しが不能になった場合には、主制御手段ＣＭから点灯指令が送信され、その点灯指令に応じて第２赤色発光ダイオード２３ａが点灯される。第２赤色発光ダイオード２３ａを点灯した場合、表示部２４は、図６に示すように、「売切」の文字が浮かび上がるよう構成されている。文字が浮かび上がった状態で、表示部２４に対応する商品選択釦２２を利用者が押圧操作しても商品は払い出されない。
【００４４】
商品コラム４に収容する商品が適温状態に至らない場合には、主制御手段ＣＭから点灯指令が送信され、その点灯指令に応じて第２橙色発光ダイオード２３ｂが点灯される。第２橙色発光ダイオード２３ｂを点灯した場合、表示部２４は、図７示すように、「準備中」の文字が浮かび上がるよう構成されている。文字が浮かび上がった状態で、表示部２４に対応する商品選択釦２２を利用者が押圧操作しても商品は払い出されない。
【００４５】
従って、操作表示手段１９は、第２光源２３を点灯することによって、商品選択釦２２を押圧操作しても商品の払い出しが不能であることを利用者に明示することができる。
【００４６】
以上説明したように、上記自動販売機１によれば、商品選択釦２２に設定した価格を表示する時、価格確認釦３０ｂの押圧操作によって価格設定制御手段ＣＰが複数の操作表示手段１９に点灯指令を送信し、その点灯指令に応じて第１光源２１が設定価格に応じて異なる色彩を呈するので、複数の操作表示手段１９によって複数の商品選択釦２２に設定した価格を一度に表示ことができ、それにより、価格設定確認の作業効率を向上することができる。しかも、設定ミスを防止することもできる。さらに、操作表示手段１９に、販売モードにおいて、商品選択釦２２の押圧操作によって商品の払い出しが可能か否かを表示するものを用いるので、新たな表示手段を設ける必要がなく、部品コストの増大を招来することもない。
【００４７】
なお、上述した実施の形態では、第１光源２１が、青色の発光色で点灯する第１青色発光ダイオード２１ａと赤色の発光色で点灯する第１赤色発光ダイオード２１ｂとを備えるもので説明した。しかし、この発明は、発光ダイオードの発光色については青色及び赤色に限られず、それら以外の他の発光色で点灯する発光ダイオードを備えても良い。また、発光ダイオードの数については２つに限られず、３つ以上の複数でも良い。例えば、３つの発光ダイオードを備え、それらの発光ダイオードの発光色がそれぞれ異なり、第１光源２１を価格毎に異なる発光色で点灯する場合には、点灯させる発光ダイオードの組み合わせによって異なる７つの価格を一度に表示することができる。
【００４８】
また、上述した実施の形態では、商品選択釦２２に、１２０円、１５０円及び２００円の３つの異なる価格を設定するもので説明した。しかし、この発明は、価格については１２０円、１５０円及び２００円に限られず、それら以外の異なる価格に設定しても良いし、価格の数については３つに限られず、２つ又は４つ以上の複数の価格に設定しても良い。
【００４９】
またさらに、上述した実施の形態では、商品選択釦２２に設定した価格の確認操作を行った場合に、操作表示手段１９の第１光源２１を点灯するもので説明した。しかし、この発明はそれに限られず、第１光源２１の代わりに第２光源２３を点灯させても良いし、第１光源２１及び第２光源２３を点灯させても良い。
【００５０】
また、上述した実施の形態では、商品選択釦２２に設定した価格の確認操作を行った場合に、価格設定制御手段ＣＰがすべての操作表示手段１９に点灯指令を送信するもので説明した。しかし、この発明はそれに限られず、価格設定制御手段ＣＰが複数の操作表示手段１９に点灯指令を送信すれば、上述した効果を達成することができる。例えば、価格設定制御手段ＣＰが１つの押釦ユニット１７の６個の操作表示手段１９に点灯指令を送信すれば、６個の商品選択釦２２に設定した価格を表示することができ、価格設定確認の作業効率を向上することができる。
【００５１】
またさらに、上述した実施の形態では、価格毎に異なる点灯態様で第１光源２１又は／及び第２光源２３を明滅させる一例として、価格毎に異なる発光色で第１光源２１又は／及び第２光源２３を点灯するもので説明した。しかし、この発明はそれに限られず、価格毎に異なる態様で第１光源２１又は／及び第２光源２３を点滅させても良い。その場合には、価格毎に異なる消灯間隔で第１光源２１又は／及び第２光源２３を点滅させても良いし、価格毎に異なる点灯間隔で第１光源２１又は第２光源２３を点滅させても良い。第１光源２１又は／及び第２光源２３を点滅させる場合には、消灯間隔もしくは点灯間隔の違いによって価格の相違を表示するため、第１光源２１又は／及び第２光源２３は、必ずしも発光色の異なる発光ダイオードを備える必要はない。
【図面の簡単な説明】
【００５２】
【図１】本発明の実施の形態である自動販売機の正面図である。
【図２】図１に示した自動販売機の外扉を開いた状態を示す斜視図である。
【図３】図１に示した自動販売機が備える操作表示手段を示す正面図である。
【図４】図１に示した自動販売機の制御系を示したブロック図である。
【図５】図１に示した自動販売機が備える設定入力手段を示す正面図である。
【図６】図３に示した操作表示手段が備える第２光源の点灯状態の一例を示す説明図である。
【図７】図３に示した操作表示手段が備える第２光源の点灯状態の他例を示す説明図である。
【符号の説明】
【００５３】
４      商品コラム
９      出力手段
１９      操作表示手段
２１      第１光源
２２      商品選択釦
２３      第２光源
２７      入金処理手段
３０      設定入力手段
３１      記憶手段
ＣＭ      主制御手段
ＣＰ      価格設定制御手段（価格確認手段）
【図１】
2006184963.tif 000003
【図２】
2006184963.tif 000004
【図３】
2006184963.tif 000005
【図４】
2006184963.tif 000006
【図５】
2006184963.tif 000007
【図６】
2006184963.tif 000008
【図７】
2006184963.tif 000009